(57)【要約】【課題】  受光素子と複数の発光素子とをいっしょに纏めてスッキリしたデザインにするとともに、運転情報を互いに方向性が相異する表示パターンで表示して容易に識別できる表示部を備えた機器（空気調和機）の表示装置を提供する。【解決手段】  遠隔操作機からの運転モードの指示を受ける受光素子１と、同受光素子１を囲繞するように配置して運転情報を表示する複数の発光素子２と、前記受光素子１および前記発光素子２をカバーする表示器カバー４とからなる表示部５を備えてなる構成にし、前記複数の発光素子１は、互いに方向性が相異する表示パターンで表示するようにした。これにより、単色による点灯表示によって運転情報を容易に識別できる機器（空気調和機）の表示装置を提供できる。【選択図】  図４
2007170745.tif 000002
【特許請求の範囲】
【請求項１】
遠隔操作機からの運転モードの指示を受ける受光素子と、同受光素子を囲繞するように配置して運転情報を表示する複数の発光素子とからなる表示部を備えてなることを特徴とする機器の表示装置。
【請求項２】
前記表示部は、前記発光素子により前記受光素子を多角形状または円形状に囲繞するように構成し、互いに方向性が相異する表示パターンで表示するように構成したことを特徴とする請求項１に記載の機器の表示装置。
【発明の詳細な説明】
【技術分野】
【０００１】
本発明は、機器の表示装置に係わり、より詳細には、運転情報を互いに方向性が相異する表示パターンで表示して容易に識別できるようにした構造に関する。
【背景技術】
【０００２】
従来の機器（空気調和機）の表示装置は、運転モードまたは運転状態を表示する液晶表示の色を変えることにより、空気調和機の運転モードまたは運転状態を直感的に示すものとして、運転モードを示す命令を受け付ける命令受付部と、運転モードに対応した運転制御を行なう運転制御部と、運転状態を検知する運転状態検知部と、運転状態と発光色の組を１組以上管理する発光色管理部と、運転状態検知部が検知した運転状態と組になる発光色を取り出す発光色決定部と、発光色決定部が取り出した発光色で液晶表示部を照射する照射部を具備するものがあった（例えば、特許文献１参照。）。
【０００３】
しかしながら、上述した特許文献１においては、運転モードまたは運転状態を表示する液晶表示の色を変えるための構成が複雑になってしまったり、また、例えば色弱者にとって、発光表示の色が変わることによって機器（空気調和機）の運転モードまたは運転状態を直感的に識別することが困難であるという問題点を有していた。
【０００４】
また、図５に示すように、遠隔操作機（図示せず）からの運転モードの指示を受ける受光素子１と、同受光素子１に近接した位置から縦一列に配置され、運転、タイマー、ダッシュおよび内部クリーンなどの運転情報を点灯表示する複数の発光素子２とからなる表示部５を備え、吸込口ｂから吸い込まれた空気を熱交換器（図示せず）により熱交換して吹出口ｃから吹き出すように構成された空気調和機ａが開示されていた（例えば、特許文献２参照。）。
【０００５】
しかしながら、この場合は、前記受光素子１と前記複数の発光素子２とが縦一列に配置された構成になっており、これら受光素子１と複数の発光素子２とが別々に配置されていることによって意匠的にバラバラな印象があり、どの位置の前記発光素子２によって運転情報が点灯表示されているのかを直感的に識別することが困難であるという問題点を有していた。
【０００６】
【特許文献１】特開平１０−２５３１３１号公報
【特許文献２】意登  １００８３５０の類似１０号
【発明の開示】
【発明が解決しようとする課題】
【０００７】
そこで、本発明は上述した課題を解決するためになされたものであって、その目的は、受光素子と複数の発光素子とをいっしょに纏めてスッキリしたデザインにするとともに、運転情報を互いに方向性が相異する表示パターンで表示して容易に識別できる表示部を備えた機器の表示装置を提供することにある。
【課題を解決するための手段】
【０００８】
上述した目的を達成するため、本発明は以下に示す特徴を備えている。
遠隔操作機からの運転モードの指示を受ける受光素子と、同受光素子を囲繞するように配置して運転情報を表示する複数の発光素子とからなる表示部を備えてなることを特徴としている。
【０００９】
また、前記表示部は、前記発光素子により前記受光素子を多角形状または円形状に囲繞するように構成し、互いに方向性が相異する表示パターンで表示するように構成したことを特徴としている。
【発明の効果】
【００１０】
本発明によれば、遠隔操作機からの運転モードの指示を受ける受光素子と、同受光素子を囲繞するように配置して運転情報を表示する複数の発光素子と、前記受光素子および前記発光素子をカバーする表示器カバーとで構成し、前記複数の発光素子は、前記受光素子を四辺形状または円形状の一部を構成して囲繞するように配置することで、バラバラ感の印象を与えないスッキリしたデザインにして、互いに方向性が相異する表示パターンで表示するように構成したので、単色による点灯表示によって運転情報を容易に識別できる表示部を備えた機器の表示装置を提供できる。
【発明を実施するための最良の形態】
【００１１】
次に、本発明の実施形態について図面を参照しながら説明する。
図１は本発明による機器の表示装置の説明図で、（Ａ）は空気調和機の斜視図、（Ｂ）は空気調和機の断面図であり、図２は本発明による機器の表示装置の説明図で、（Ａ）は空気調和機の正面図、（Ｂ）は空気調和機の側面図、（Ｃ）は（Ａ）に示すＡーＡ断面図であり、図３は本発明による機器の表示装置の要部説明図で、（Ａ）は実施例１を示す図、（Ｂ）および（Ｃ）は実施例２を示す図、（Ｄ）および（Ｅ）は実施例３を示す図、（Ｆ）乃至（Ｈ）は実施例４を示す図であり、図４は本発明による機器の表示装置の分解斜視図である。
【００１２】
本発明による機器の表示装置は、図１（Ａ）および図１（Ｂ）と、図２（Ａ）および図２（Ｂ）とに示す空気調和機ａのように、吸込口ｂと吹出口ｃとを結ぶ空気通路に、熱交換器ｄと送風ファンｅとを設けるとともに、前記吹出口ｃの側部には、運転情報を点灯表示する表示部５が設けられた構成になっている。
【００１３】
上述した構成により、前記空気調和機ａの運転時に、前記吸込口ｂから吸い込まれた空気が前記熱交換器ｄによって熱交換されたのち、前記送風ファンｅによって前記吹出口ｃに送出されるようになっており、また、前記表示部５によって、例えば図３（Ａ）に示すように、そのときの運転状態を示す「運転」「ダッシュ」「タイマー」「内部クリーン」といった運転情報が表示されるようになっている。
【００１４】
なお、「運転」は運転中であることを示す表示であり、「ダッシュ」は最大風量運転中であることを示す表示であり、「タイマー」は所定時間後に運転停止になることを示す表示であり、「内部クリーン」は本体内のフィルタなどが自動清掃中であることを示す表示である。
【００１５】
前記表示部５は、図示しない遠隔操作機（リモコン）から運転モードの指示を受ける受光素子１と、同受光素子１を囲繞する複数のＬＥＤからなる発光素子２とを配置した基板３と、前記受光素子１および前記発光素子２の窓部を兼ねてこれらをカバーする表示器カバー４とからなる構成になっており、とくに前記受光素子１を前記複数の発光素子２で囲繞させるようにして前記基板３に配置することで、図２（Ｃ）に示すように、これらの構成要素が一つにまとめられるようになることから、バラバラ感の印象を与えないスッキリしたデザインになり、前記空気調和機ａへの組み付けがしやすくなってメンテナンス性がよくなる。
【００１６】
前記表示部５を構成する前記基板３、前記受光素子１、前記発光素子２および前記表示器カバー４は、図４に示す分解斜視図のような構成によって一つにまとめられることで、バラバラ感の印象を与えないスッキリしたデザインになっている。
【００１７】
すなわち、前記受光素子１は、前記基板３に設けられた取付枠６の中に取り付けられ、前記発光素子２は、前記受光素子１を囲繞するように前記取付枠６の各コーナー部に形成された保持枠７の中に保持されるようになっており、また、前記受光素子１および前記発光素子２などは、その前部が窓部を兼ねる前記表示器カバー４によりカバーされるようになっている。
【００１８】
前記保持枠７は、図３（Ａ）乃至図３（Ｈ）に示すように、例えば前記取付枠６の各コーナー部に、正面から見て互いに形状の方向性が相異するように形成されており、この方向性が相異する形状が、前記発光素子２の点灯時に前記表示器カバー４を通した表示パターンとして視認されることにより、囲繞された前記受光素子１を中心にみて、どの位置の前記発光素子２が点灯しているかを容易に、且つ正確に識別できるようになっている。
【００１９】
前記保持枠７は、前記複数の発光素子２が前記受光素子１を多角形状または円形状の一部を構成して囲繞するように配置されることで、前記表示器カバー４を通して、互いに相異する方向性でなる表示パターンが表示されるように構成されており、前記表示器カバー４には、図３（Ａ）に示すように、前記複数の発光素子２の位置に夫々対応して、上述したような「運転」「ダッシュ」「タイマー」「内部クリーン」などの運転内容を示す表示がされている。
【００２０】
これによって、どの位置の前記発光素子２が点灯したかを正確に識別できることになって、点灯した同発光素子２の位置に対応する運転内容の表示を容易に、且つ正確に認知できることになり、仮に色弱者が視認する場合であっても、発光素子の発光色の違いを識別するのではなく、発光表示された形状の方向性の違いを識別するのであるから、ユーザにとってやさしい前記表示部５を備えた空気調和機ａが提供されることになる。
【００２１】
次に、前記表示部５について、上述した運転情報が識別しやすくなるように遠方からの視認性を良好にして、この運転情報の認知が容易になるようにした実施例について以下に説明する。
【実施例１】
【００２２】
前記発光素子２が点灯した際、実施例１として示す図３（Ａ）および図４に基づいて、前記表示器カバー４を通して視認される表示パターンの方向性の相異により、どの位置の前記発光素子２が点灯しているかを容易に、且つ正確に識別できるようにした事例について説明する。
【００２３】
前記保持枠７は、前記複数の発光素子２が前記受光素子１を多角形状の一部を構成して囲繞するように配置されることで、互いに同様の形状であっても、上述した「運転」の位置で点灯した前記発光素子2aが視認される表示パターンの方向性と、「ダッシュ」の位置で点灯した前記発光素子2bが視認される表示パターンの方向性と、「タイマー」の位置で点灯した前記発光素子2cが視認される表示パターンの方向性と、「内部クリーン」の位置で点灯した前記発光素子2dが視認される表示パターンの方向性とが、明らかに識別可能に視認されることになる。
【実施例２】
【００２４】
次に、前記発光素子２が点灯した際、実施例２の一例として示す図３（Ｂ）および二例として示す図３（Ｃ）と、図４とに基づいて、前記表示器カバー４を通して視認される表示パターンの方向性の相異により、どの位置の前記発光素子２が点灯したかを容易に、且つ正確に識別できるようにした事例について説明する。
【００２５】
前記保持枠７は、前記複数の発光素子２が前記受光素子１を多角形状の一部を構成して囲繞するように配置され、且つ三角形状あるいは放射状に配置した矢尻形状にすることで、互いに同様の形状であっても、上述した「運転」の位置で点灯した前記発光素子2aが視認される表示パターンの方向性と、「ダッシュ」の位置で点灯した前記発光素子2bが視認される表示パターンの方向性と、「タイマー」の位置で点灯した前記発光素子2cが視認される表示パターンの方向性と、「内部クリーン」の位置で点灯した前記発光素子2dが視認される表示パターンの方向性とが、明らかに識別可能に視認されることになる。
【実施例３】
【００２６】
前記発光素子２が点灯した際、実施例３の一例として示す図３（Ｄ）および二例として示す図３（Ｅ）と、図４とに基づいて、前記表示器カバー４を通して視認される表示パターンの方向性の相異により、どの位置の前記発光素子２が点灯したかを容易に、且つ正確に識別できるようにした事例について説明する。
【００２７】
前記保持枠７は、前記複数の発光素子２が前記受光素子１を円形状の一部を構成して囲繞するように配置されることで、互いに同様の形状であっても、上述した「運転」の位置で点灯した前記発光素子2aが視認される表示パターンの方向性と、「ダッシュ」の位置で点灯した前記発光素子2bが視認される表示パターンの方向性と、「タイマー」の位置で点灯した前記発光素子2cが視認される表示パターンの方向性と、「内部クリーン」の位置で点灯した前記発光素子2dが視認される表示パターンの方向性とが、明らかに識別可能に視認されることになる。
【実施例４】
【００２８】
前記発光素子２が点灯した際、実施例４の一例として示す図３（Ｆ）、二例として示す図３（Ｇ）および三例として示す図３（Ｈ）と、図４とに基づいて、前記表示器カバー４を通して視認される表示パターンの方向性の相異により、どの位置の前記発光素子２が点灯したかを容易に、且つ正確に識別できるようにした事例について説明する。
【００２９】
前記保持枠７は、前記複数の発光素子２が前記受光素子１を多角形状（菱形状）の一部を構成して囲繞するように配置されることで、互いに同様の形状であっても、上述した「運転」の位置で点灯した前記発光素子2aが視認される表示パターンの方向性と、「ダッシュ」の位置で点灯した前記発光素子2bが視認される表示パターンの方向性と、「タイマー」の位置で点灯した前記発光素子2cが視認される表示パターンの方向性と、「内部クリーン」の位置で点灯した前記発光素子2dが視認される表示パターンの方向性とが、明らかに識別可能に視認されることになる。
【図面の簡単な説明】
【００３０】
【図１】本発明による機器の表示装置の説明図で、（Ａ）は空気調和機の斜視図であり、（Ｂ）は空気調和機の断面図である。
【図２】本発明による機器の表示装置の説明図で、（Ａ）は空気調和機の正面図であり、（Ｂ）は空気調和機の側面図であり、（Ｃ）は（Ａ）に示すＡーＡ断面図である。
【図３】本発明による機器の表示装置の要部説明図で、（Ａ）は実施例１を示す図であり、（Ｂ）および（Ｃ）は実施例２を示す図であり、（Ｄ）および（Ｅ）は実施例３を示す図であり、（Ｆ）乃至（Ｈ）は実施例４を示す図である。
【図４】本発明による機器の表示装置の分解斜視図である。
【図５】従来技術による機器（空気調和機）の表示装置を示す斜視図である。
【符号の説明】
【００３１】
１  受光素子
２、2a、2b、2c、2d  発光素子
３  基板
４  表示器カバー
５  表示部
６  取付枠
７  保持枠
ａ  機器（空気調和機）
ｂ  吸込口
ｃ  吹出口
ｄ  熱交換器
ｅ  送風ファン
【図１】
2007170745.tif 000003
【図２】
2007170745.tif 000004
【図３】
2007170745.tif 000005
【図４】
2007170745.tif 000006
【図５】
2007170745.tif 000007